【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
第１の感光体に第１の画像を形成する第１画像形成手段と、
第２の感光体に第２の画像を形成する第２画像形成手段と、
前記第１の画像と前記第２の画像とが転写される中間転写体と、
前記中間転写体上の前記第１の画像と前記第２の画像とをシートへ転写する転写手段と、
前記第１の感光体と前記中間転写体とが当接すると共に前記第２の感光体と前記中間転写体とが離間する第１のモードと、前記第１の感光体と前記中間転写体とが当接すると共に前記第２の感光体と前記中間転写体とが当接する第２のモードと、前記第１の感光体と前記中間転写体とが離間すると共に前記第２の感光体と前記中間転写体とが離間する第３のモードと、を含む複数のモードの中からモードを選択し、当該選択されたモードに応じて前記第１の感光体、前記第２の感光体、および前記中間転写体の位置関係を制御する制御手段と、
前記第１の感光体の交換条件が満たされているか否かを判定すると共に、前記中間転写体の交換条件が満たされているか否かを判定する判定手段と、を有し、
前記制御手段は、前記第１の感光体の交換条件が満たされず、かつ、前記中間転写体の交換条件が満たされないまま、電力供給が停止された状態へ移行される場合、前記位置関係を前記第１のモードに制御し、
前記制御手段は、前記第１の感光体の交換条件が満たされたまま、電力供給が停止された前記状態へ移行される場合、前記位置関係を前記第３のモードに制御し、
前記制御手段は、前記中間転写体の交換条件が満たされたまま、電力供給が停止された前記状態へ移行される場合、前記位置関係を前記第３のモードに制御することを特徴とする画像形成装置。
【請求項２】
前記判定手段は、積算印刷枚数が前記第１の感光体の交換が必要であるか否かを判定するための所定枚数以上ならば、前記第１の感光体の交換条件が満たされたと判定することを特徴とする請求項１に記載の画像形成装置。
【請求項３】
前記判定手段は、積算回転時間が前記第１の感光体の交換が必要であるか否かを判定するための所定時間以上ならば、前記第１の感光体の交換条件が満たされたと判定することを特徴とする請求項１に記載の画像形成装置。
【請求項４】
前記判定手段は、積算印刷枚数が前記中間転写体の交換が必要であるか否かを判定するための所定枚数以上ならば、前記中間転写体の交換条件が満たされたと判定することを特徴とする請求項１に記載の画像形成装置。
【請求項５】
前記判定手段は、積算回転時間が前記中間転写体の交換が必要であるか否かを判定するための所定回転時間以上ならば、前記中間転写体の交換条件が満たされたと判定することを特徴とする請求項１に記載の画像形成装置。
【請求項６】
前記第１の画像はブラックの画像であり、
前記第２の画像は前記ブラック画像と異なる有彩色の画像であることを特徴とする請求項１に記載の画像形成装置。
【請求項７】
第１の感光体に第１の画像を形成する第１画像形成手段と、
第２の感光体に第２の画像を形成する第２画像形成手段と、
前記第１の画像と前記第２の画像とが転写される中間転写体と、
前記中間転写体上の前記第１の画像と前記第２の画像とをシートへ転写する転写手段と、
前記第１の感光体と前記中間転写体とが当接すると共に前記第２の感光体と前記中間転写体とが離間する第１のモードと、前記第１の感光体と前記中間転写体とが当接すると共に前記第２の感光体と前記中間転写体とが当接する第２のモードと、前記第１の感光体と前記中間転写体とが離間すると共に前記第２の感光体と前記中間転写体とが離間する第３のモードと、を含む複数のモードの中からモードを選択し、当該選択されたモードに応じて前記第１の感光体、前記第２の感光体、および前記中間転写体の位置関係を制御する制御手段と、
前記第１の感光体の交換条件が満たされているか否かを判定すると共に、前記中間転写体の交換条件が満たされているか否かを判定する判定手段と、を有し、
前記制御手段は、前記第１の感光体の交換条件が満たされず、かつ、前記中間転写体の交換条件が満たされないまま、電力供給が停止された状態へ移行される場合、前記位置関係を前記第２のモードに制御し、
前記制御手段は、前記第１の感光体の交換条件が満たされたまま、電力供給が停止された前記状態へ移行される場合、前記位置関係を前記第３のモードに制御し、
前記制御手段は、前記中間転写体の交換条件が満たされたまま、電力供給が停止された前記状態へ移行される場合、前記位置関係を前記第３のモードに制御することを特徴とする画像形成装置。
【請求項８】
前記判定手段は、積算印刷枚数が前記第１の感光体の交換が必要であるか否かを判定するための所定枚数以上ならば、前記第１の感光体の交換条件が満たされたと判定することを特徴とする請求項７に記載の画像形成装置。
【請求項９】
前記判定手段は、積算回転時間が前記第１の感光体の交換が必要であるか否かを判定するための所定時間以上ならば、前記第１の感光体の交換条件が満たされたと判定することを特徴とする請求項７に記載の画像形成装置。
【請求項１０】
前記判定手段は、積算印刷枚数が前記中間転写体の交換が必要であるか否かを判定するための所定枚数以上ならば、前記中間転写体の交換条件が満たされたと判定することを特徴とする請求項７に記載の画像形成装置。
【請求項１１】
前記判定手段は、積算回転時間が前記中間転写体の交換が必要であるか否かを判定するための所定回転時間以上ならば、前記中間転写体の交換条件が満たされたと判定することを特徴とする請求項７に記載の画像形成装置。
【請求項１２】
前記第１の画像はブラックの画像であり、
前記第２の画像は前記ブラック画像と異なる有彩色の画像であることを特徴とする請求項７に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００８
【補正方法】変更
【補正の内容】
【０００８】
上記課題を解決する本発明の画像読取装置は、第１の感光体に第１の画像を形成する第１画像形成手段と、第２の感光体に第２の画像を形成する第２画像形成手段と、前記第１の画像と前記第２の画像とが転写される中間転写体と、前記中間転写体上の前記第１の画像と前記第２の画像とをシートへ転写する転写手段と、前記第１の感光体と前記中間転写体とが当接すると共に前記第２の感光体と前記中間転写体とが離間する第１のモードと、前記第１の感光体と前記中間転写体とが当接すると共に前記第２の感光体と前記中間転写体とが当接する第２のモードと、前記第１の感光体と前記中間転写体とが離間すると共に前記第２の感光体と前記中間転写体とが離間する第３のモードと、を含む複数のモードの中からモードを選択し、当該選択されたモードに応じて前記第１の感光体、前記第２の感光体、および前記中間転写体の位置関係を制御する制御手段と、前記第１の感光体の交換条件が満たされているか否かを判定すると共に、前記中間転写体の交換条件が満たされているか否かを判定する判定手段と、を有し、前記制御手段は、前記第１の感光体の交換条件が満たされず、かつ、前記中間転写体の交換条件が満たされないまま、電力供給が停止された状態へ移行される場合、前記位置関係を前記第１のモードに制御し、前記制御手段は、前記第１の感光体の交換条件が満たされたまま、電力供給が停止された前記状態へ移行される場合、前記位置関係を前記第３のモードに制御し、前記制御手段は、前記中間転写体の交換条件が満たされたまま、電力供給が停止された前記状態へ移行される場合、前記位置関係を前記第３のモードに制御することを特徴とする。